(57)【要約】      （修正有）【課題】洗浄剤が入った収容器をトイレタンクから取り外す事で、タンク内部のメンテナンスが簡単に出来る便器洗浄装置を提供する。【解決手段】便器の洗浄水に薬剤を供給する便器洗浄装置であって、固形洗浄剤を収めた内筒２の外上辺に上向で固定されたナット４にボルト３を螺合させており、ボルトを回すことでナットが固定された内筒を伴なって上下動をさせる。固形洗浄剤を収める内筒の底面で落下防止の格子枠の上に取り付けられた繊維マットは繊維状の網目によって、溶解した固形洗浄剤がゼリー状のままでタンク内に排出されることを防ぐ。【選択図】図１
0003232731.tif 000002
【実用新案登録請求の範囲】
【請求項１】
便器の洗浄水に薬剤を供給する便器洗浄装置であって、前記薬剤を収めた内筒の外上辺に上向で固定されたナットにボルトを螺合させており、前記ボルトを回すことで前記ナットが固定された内筒を伴なって上下動をさせることを特徴とする便器洗浄装置。
【請求項２】
固形洗浄剤を収める内筒の底面で落下防止の格子枠に取り付けた繊維マットは溶解した固形剤のゼリー状排出を防ぎ、前記薬剤の溶解濃度を緩やかにする。
【考案の詳細な説明】
【技術分野】
【０００１】本考案はボルトとナットの構成で内筒が上下にスライドする事を特徴とする便器洗浄装置である、内筒に収容された固形洗浄剤の底部で水と接触した部位の溶解度を調整する事で薬剤濃度を一定に保ちつつ、水洗をして、固形洗浄剤が無くなるまで同じ色、薬剤濃度を継続出来ることを特徴とする便器洗浄装置。
【背景技術】
【０００２】従来の固形洗浄剤はトイレタンクの水面に投入し、タンク底部に定着して個体全面で溶解するのであるが固形洗浄剤は全面で溶解する事で色、薬剤濃度が一定せずに、薬剤濃度調整が出来ず固形洗浄剤が小さくなって、ゼリー状になった時には、水洗の水に一気に流されてゼリー状のまま便器内に流れ出るのである、視感的にも不具合で経済的にも不都合である、本考案はこれらの課題を解決する為になされた便器洗浄装置。
【考案の開示】
【考案が解決しようとする課題】
【０００３】従来の固形洗浄剤投入式では、タンク内に投入して自在に溶解するのであるが、濃度調整が出来ず、最後にはゼリー状になって、そのまま便器内に流れ出るのである、何かの不都合が生じて固形洗浄剤をタンク内部から拾い上げるには、腕の肘まで水の中に手を差し入れて表面が溶けた洗浄剤を拾い上げる事は難題である、本考案の筒収容器では、洗浄剤が入った収容器をトイレタンクから取り外す事で、タンク内部のメンテナンスが簡単に出来る。
【課題を解決するための手段】
【０００４】上記の課題を解決するために本考案の便器洗浄装置は請求項１を特徴とするもので、大、小、２つの筒を重ねてあり、外筒はコ型溝と台座とフックが一体で樹脂成型されてある、外筒にはコ型溝を施してあり、コ型溝の上部の丸穴にボルトを垂直に差し込んてある、内筒の外側上辺にナットが上向きに固定されてある、コ型溝から垂直に降りたボルトは内筒の固定ナットに螺合して、内筒を保持している、ボルトの右回転、左回転で固定ナットはコ型溝の中でボルトのネジ山に沿って、内筒を伴って上下にスライドする。【０００５】外筒の内壁にはタテ列で溶解度の数値が記入されてある、ボルトを回してスライドさして、内筒の上辺を最適の数値に設定して、固形剤を内筒の中に差し込めば、固形剤は底部の水に接触する部位のみで溶解が始まり、定めた濃度基準で溶解して行くのである、以後は数値設定は不要で固形洗浄剤を内筒に差し込めば、同じ設定濃度で美しい水洗が出来るのである、内筒を下、深くに設定すれば高濃度の溶解が出来る。【０００６】固形洗浄剤は収容筒を使用する事で濃度調整が可能になり、中に入る固形洗浄剤の底部の水と接触する部位のみで溶解する事で消耗が緩やかになり、使用当初から最後まで同じ濃度を継続して、美しい色の水洗が可能なのである、又、固形洗浄剤が、より長期に使用出来る事で経済的にも大きな利点がある。【０００７】ボルトの右回転、左回転によって、ボルトと螺合した固定ナットは内筒を伴って溝の中で、ボルトのネジ山に沿って上下にスライドするのである、ボルトは丸穴の中で、ただ回転するだけで、上下動はしないのである、ボルトの最下点には、固定ナットの抜け落ち防止の為にストップピンが施してある、内筒の底部には固形剤の落下防止の為に繊維マットを付けた格子枠が施してある、繊維マットは薬剤のゼリー状の排出を防止する。
【考案の効果】
【０００８】本考案により、ボルトの回転で内筒をスライドさして最適の位置に設定すれば、固形洗浄剤の濃度調整が出来て消耗が緩やかにになり、使用当初から最後まで同じ濃度を継続して美しい水洗が出来るのである、便器洗浄装置は簡単に取り外しが出来るため、タンク内のメンテナンスが簡単に出来る事が特徴。
【図面の簡単な説明】
【０００９】
【図１】  便器洗浄装置の正面斜視図
【図２】  便器洗浄装置の側面斜視図
【図３】  分解図、内筒の側面斜視図
【図４】  固形洗浄剤を差し込んだ斜視図
【図５】  固形洗浄剤の斜視図
【図６】  便器洗浄装置．の底面の斜視図
【図７】  本考案の第２の便器洗浄装置の斜視図
【図８】  水洗タンクの実施例の斜視図
【考案を実施するための形態】
【００１０】便器洗浄装置の薬剤収容器は２重筒で構成してあり、大、小２つの筒の外筒はコ型溝、台座、フックが一体で樹脂成型されてある、外筒にはコ型溝が施してあり、溝の上部にボルト用の丸穴を設けてある、内筒には外側上辺にナットが上向きで固定されてある、外筒のコ型溝の上部の丸穴にボルトを垂直に差し込んで、コ型溝の中で下に降りてある、垂直に降りたボルトは、内筒の外側上辺の固定ナットに螺合して内筒を保持してある、垂直ボルトの頭部ツマミを左右に回す事で、固定ナットは内筒を伴って、ボルトのネジ山に沿ってコ型溝の中で上下にスライドする。
【実施例】
【００１１】以下、添付図面にしたがって実施例を説明する、
図１は便器洗浄装置本体で、タンク１５の空き部に背面フック１０で吊るして台座１１で固定して、ボルト３を回して、内筒の上辺を数値１４に合わし、深度調整をして、固形洗浄剤１２を差し込めば、固形洗浄剤底部１２ａで溶解が始まる。【００１２】外筒１にコ型溝５を施してある、内筒の外側上辺にナットが上向きで固定４されてある、コ型溝５の中でボルト３が丸穴７から垂直に降りてある、固定ナット４にボルト３が螺合してあり、ボルトを回せば、コ型溝５の中で固定ナット４が内筒２を伴って上下にスライドする。【００１３】ボルト３のツマミ６を回せば固定ネジ４は固形洗浄剤収容器である内筒２を伴なって溝の中で上下にスライドするのである、内筒底面２ａが水面に接触する位置で設定すれば固形剤低面１２ａは溶解を始める。【００１４】便器洗浄装置をトイレタンクの壁にフック１０で吊るして、内筒底面が水面１６に接触する位置で設定し、固形洗浄剤１２を内筒の中に差し込めば、固形洗浄剤底面１２ａで溶解が始まる。【００１５】ボルト３の回転で固定ナット４は上下するが、ボルトは丸穴の中でタダ回転するのみで、上下動はしないのである、ストップリング８とツマミ下膨らみ６ａで制御されてある。【００１６】内筒を最下点に降ろした時に固定ナットがボルトから抜け落ちを防止するストッパーピン９。【００１７】内筒底面には固形剤の落下防止用に繊維マット１３ａ付の格子枠１３を施してある繊維マット１３ａは固形剤のゼリー状の排出を防ぎ、濃度を緩やかにする作用。
【符号の説明】  １    外筒
２    内筒
２ａ  内筒底面
３    ボルト
４    固定ナット
５    コ型溝
６    ツマミ
６ａ  ツマミ下膨らみ
７    ボルト用丸穴
８    ストップリング
９    ストッパーピン
１０    フック
１１    台座
１２    固形洗浄剤
１２ａ  固形洗浄剤  底面
１３    落下防止用繊維マット付き格子枠
１３ａ  繊維マット
１４    数値
１５    水洗タンク
１６    水面
【図１】
0003232731.tif 000003
【図２】
0003232731.tif 000004
【図３】
0003232731.tif 000005
【図４】
0003232731.tif 000006
【図５】
0003232731.tif 000007
【図６】
0003232731.tif 000008
【図７】
0003232731.tif 000009
【図８】
0003232731.tif 000010
【手続補正書】
【提出日】令和3年3月15日(2021.3.15)
【手続補正１】
【補正対象書類名】実用新案登録請求の範囲
【補正対象項目名】請求項２
【補正方法】変更
【補正の内容】
【請求項２】
固形洗浄剤を収める内筒の底面で落下防止の格子枠の上に取り付けられた繊維マットは繊維状の網目によって、溶解した固形洗浄剤がゼリー状のままでタンク内に排出されることを防ぐものであることを特徴とする請求項１に記載の便器洗浄装置。